(57)【特許請求の範囲】
【請求項１】
車両に搭載された内燃機関の吸気音を車室内に導入する吸気音導入装置と、
車幅方向に延びるカウルと、
車幅方向に延びるとともに前記カウルに固定されているカウルリインフォースメントと、を備える車両前部構造であって、
前記吸気音導入装置は、
前記内燃機関の吸気通路から分岐した分岐路と、
前記分岐路に連通した共鳴箱と、
前記カウル及び前記カウルリインフォースメントによって囲まれる空間と前記共鳴箱とを連通させる伝達路と、を備え、
前記空間の車室側の壁面には、複数の孔が車幅方向において間隔をあけて形成されている
ことを特徴とする車両前部構造。
【発明の詳細な説明】
【技術分野】
【０００１】
本発明は、車両前部構造に関する。
【背景技術】
【０００２】
車両に搭載された内燃機関の吸気音を車室内に導入する吸気音導入装置が知られている。例えば特許文献１に記載の吸気音導入装置は、車両に搭載された内燃機関の吸気音を共鳴させるための共鳴箱として機能するサウンドクリエータ（登録商標）を備えており、この共鳴箱に接続された伝達管を車室内に連通させるようにしている。
【先行技術文献】
【特許文献】
【０００３】
【特許文献１】特開２０１４−１８５６０５号公報
【発明の概要】
【発明が解決しようとする課題】
【０００４】
ところで、共鳴箱に接続された伝達管を車室内に連通させる場合には、車室内における伝達管の開口部近傍において吸気音の音圧は最も高く、そうした開口部から離れるに伴って車室内に導入される吸気音の音圧は低下していく。そのため、車室内において吸気音の音圧に差が生じやすく、例えば車室内における吸気音の広がり感を演出することも難しい。
【０００５】
本発明は、こうした実情に鑑みてなされたものであり、その解決しようとする課題は、車室内に導入される吸気音の音圧差を抑えることのできる吸気音導入装置を提供することにある。
【課題を解決するための手段】
【０００６】
上記課題を解決する車両前部構造は、車両に搭載された内燃機関の吸気音を車室内に導入する吸気音導入装置を備え、吸気音導入装置は、前記内燃機関の吸気通路から分岐した分岐路と、前記分岐路に連通した共鳴箱と、車幅方向に延びる車両のカウル及びカウルリインフォースメントによって囲まれる空間と前記共鳴箱とを連通させる伝達路とを、備えている。
【０００７】
同構成によれば、共鳴箱で共鳴した吸気音は伝達路を介して、車幅方向に延びる車両のカウル及びカウルリインフォースメントによって囲まれる空間に伝達される。こうした空間によって吸気音が車幅方向に伝達されると、その伝達された吸気音による空気の振動によってカウルリインフォースメント全体が振動するようになる。従って、車幅方向に延びるカウルリインフォースメント全体から車室内に向けて吸気音が伝わるようになり、これにより車室内に導入される吸気音の音圧差を抑えることができるようになる。
【図面の簡単な説明】
【０００８】
【図１】一実施形態の吸気音導入装置が設けられた車両の構成を示す模式図。
【図２】同車両を上方から見たときの吸気音導入装置の構成を示す模式図。
【発明を実施するための形態】
【０００９】
以下、車両前部構造の一実施形態を、図１及び図２を参照して説明する。
なお、各図において、車両の前方向を矢印ＦＲ、車両の後ろ方向を矢印ＲＲ、車両の上方向を矢印ＵＰ、車両の下方向を矢印ＤＮで示す。また、矢印ＦＲで示した車両の前方向に向かって右側の方向を矢印ＲＴ、矢印ＦＲで示した車両の前方向に向かって左側の方向を矢印ＬＴで示す。
【００１０】
図１に示すように、車両１０の前部には、車両の上下方向及び左右方向に広がるダッシュパネル１１が設けられている。このダッシュパネル１１によってエンジンルーム１２と車室１３とが隔てられている。
【００１１】
エンジンルーム１２には、内燃機関２０や、吸気を濾過するエアクリーナ２１等が設けられている。内燃機関２０とエアクリーナ２１とは、吸気通路２３で接続されている。
ダッシュパネル１１の上部には、車幅方向に延びるカウル３０が設けられている。このカウル３０には、例えばワイパアームなどが設けられる。また、カウル３０の車室１３側の壁面３１には、車両１０が備える一対のフロントピラー間を繋ぐ車両骨格として機能する部材であって車幅方向に延びるカウルリインフォースメント４０が固定されている。そして、カウル３０の車室１３側の壁面３１とカウルリインフォースメント４０とによって、車幅方向に延びる空間５０が形成されている。
【００１２】
エンジンルーム１２内には、内燃機関２０の吸気音を車室１３内に導入する吸気音導入装置１００が設けられている。この吸気音導入装置１００は、吸気通路２３から分岐した管状の分岐路２４と、分岐路２４に連通した共鳴箱２２と、前記空間５０と共鳴箱２２とを連通させる管状の伝達路２５とを備えている。また、上記空間５０を形成するカウル３０の車室１３側の壁面３１及びカウルリインフォースメント４０も、吸気音導入装置１００の一部を構成している。
【００１３】
共鳴箱２２は、内燃機関２０の吸気通路２３内で発生する吸気脈動に起因した吸気音を共鳴させる箱であり、内燃機関２０から共鳴箱２２に吸気の振動が伝わると、共鳴によって特定周波数（車両搭乗者が好ましいと感じる音の周波数であって予めの試験等を通じて選定されている適切な周波数）の吸気音が増幅される。なお、こうした共鳴箱としては、例えば株式会社マーレフィルターシステムズのサウンドクリエータ（登録商標）などを採用することができる。
【００１４】
分岐路２４は、内燃機関２０が備えるスロットルバルブとエアクリーナ２１との間の吸気通路２３から分岐しており、共鳴箱２２に接続されている。また、分岐路２４の共鳴周波数が吸気音の特定周波数と一致するように分岐路２４の管長は予め設定されている。
【００１５】
伝達路２５はダッシュパネル１１を貫通しており、その一端は共鳴箱２２の内部に連通されている。また、伝達路２５の他端はカウルリインフォースメント４０に設けられた連通孔４１に接続されている。また、伝達路２５の共鳴周波数が吸気音の特定周波数と一致するように伝達路２５の管長は予め設定されている。
【００１６】
図２に示すように、本実施形態では、連通孔４１は、カウルリインフォースメント４０において車幅方向における中央近傍に設けられているが、他の部位に設けてもよい。
また、カウルリインフォースメント４０の車室１３側の壁面には、複数の孔４２が車幅方向において所定の間隔をあけて形成されている。それら複数の孔４２の間隔は、カウルリインフォースメント４０の共鳴周波数が吸気音の特定周波数と一致するように予め設定されている。また、本実施形態では、複数の孔４２として２つの孔４２を設けるようにしており、１つは運転席１４に近い位置に（例えばステアリングホイール１６に近い位置など）、もう１つは助手席１５に近い位置にそれぞれ設けるようにしている。なお、孔４２は、３つ以上設けてもよい。
【００１７】
次に、上記吸気音導入装置１００の作用を説明する。
内燃機関２０の吸気通路２３にて吸気脈動による吸気音が発生すると、その吸気音は分岐路２４内に伝わる。分岐路２４内に吸気音が伝わると分岐路２４が共鳴することにより、吸気音の特定周波数が増幅される。分岐路２４内で特定周波数が増幅された吸気音は共鳴箱２２内に伝わり、共鳴箱２２内で吸気音の特定周波数はさらに増幅される。共鳴箱２２内で特定周波数が増幅された吸気音は伝達路２５内に伝わり、伝達路２５内で吸気音の特定周波数はさらに増幅される。伝達路２５内で特定周波数が増幅された吸気音は、カウルリインフォースメント４０に形成された連通孔４１を介して、カウル３０の壁面３１とカウルリインフォースメント４０とで形成される空間５０内に伝わり、その空間５０内で吸気音の特定周波数はさらに増幅される。
【００１８】
こうした空間５０によって吸気音が車幅方向に伝達されると、その伝達された吸気音による空気の振動によってカウルリインフォースメント４０全体が振動するようになる。従って、車幅方向に延びるカウルリインフォースメント４０全体から車室１３内に向けて吸気音が伝わるようになる。このように、車室１３内における吸気音の音源が点ではなく、車幅方向に延びる面となるため、これにより車室１３内に導入される吸気音の音圧差、特に車両前席における音圧差が抑えられるようになる。
【００１９】
また、空間５０内で特定周波数が増幅された吸気音は、運転席１４側及び助手席１５側にそれぞれ設けられた孔４２を介して車室１３内に伝わるため、運転者や助手席１５の同乗者に届く吸気音の音圧はほぼ同じになる。ここで、上述したように、吸気通路２３で生じる吸気音のうちの特定周波数は、分岐路２４、共鳴箱２２、伝達路２５、及び空間５０において多段階に増幅されていくため、孔４２を介して車室１３内に伝わる吸気音は、運転者や同乗者が好ましいと感じる特定周波数の音が強調された状態で車室１３内に導入することができる。
【００２０】
以上、説明した本実施形態によれば、以下の効果を得ることができる。
（１）車幅方向に延びる車両のカウル３０及びカウルリインフォースメント４０によって囲まれる空間５０と共鳴箱２２とを連通させる伝達路２５を備えるようにしているため、車室１３内に導入される吸気音の音圧差を抑えることができる。
【００２１】
（２）カウルリインフォースメント４０において車幅方向に複数の孔４２を設けるようにしている。そのため、運転者や助手席１５の同乗者に届く吸気音の音圧をほぼ同じにすることができる。
【００２２】
（３）吸気通路２３で生じる吸気音のうちの特定周波数を多段階に増幅するようにしているため、運転者や同乗者が好ましいと感じる特定周波数の音が強調された状態で吸気音を車室１３内に導入することができる。
【００２３】
（４）カウルリインフォースメント４０に孔４２が空いていない場合には、上記空間５０に入ってきた空気の出口が無いため、共鳴箱２２から届いた吸気音の音圧が低下するおそれがある。この点、本実施形態では、カウルリインフォースメント４０に孔４２が空いているため、そうした吸気音の音圧低下を抑えることができる。
【００２４】
（５）分岐路２４や伝達路２５の管長は、吸気音の特定周波数が増幅されるように設定されている。そのため、例えば減衰が大きい高周波領域の吸気音を特定周波数として設定するようにすれば、そうした高周波領域の吸気音を車室１３内に届けることが可能になる。また、余分な周波数領域の音を減衰させることにより、雑味のないすっきりとした吸気音を演出することも可能になる。
【００２５】
なお、上記実施形態は、以下のように変更して実施することもできる。
・上記孔４２を省略してもよい。この場合でも、上記（２）及び（４）以外の効果を得ることができる。
【００２６】
・カウルリインフォースメント４０に形成した孔４２の間隔は、カウルリインフォースメント４０の共鳴周波数が吸気音の特定周波数と一致するように設定されていたが、必ずしも一致するように設定する必要はなく、孔４２の間隔は適宜変更することができる。
【００２７】
・分岐路２４や伝達路２５の管長は、吸気音の特定周波数が増幅されるように設定されていたが、必ずしもそのようにして設定する必要はなく、例えば車両１０への搭載性等を考慮して分岐路２４や伝達路２５の管長を適宜設定してもよい。
【００２８】
・伝達路２５はダッシュパネル１１を貫通するようにしたが、例えばカウル３０を貫通させることにより上記空間５０に伝達路２５を連通させるようにしてもよい。
【符号の説明】
【００２９】
１０…車両、１１…ダッシュパネル、１２…エンジンルーム、１３…車室、１４…運転席、１５…助手席、１６…ステアリングホイール、２０…内燃機関、２１…エアクリーナ、２２…共鳴箱、２３…吸気通路、２４…分岐路、２５…伝達路、３０…カウル、３１…（カウルの）壁面、４０…カウルリインフォースメント、４１…連通孔、４２…孔、５０…空間、１００…吸気音導入装置。
【図１】
0006500747.tif 000002
【図２】
0006500747.tif 000003